(57)【特許請求の範囲】
【請求項１】
楽曲のオーディオデータと、現在再生対象となっているオーディオデータを登録した再生リストとを記憶し、前記再生リストに登録されたオーディオデータを再生するポータブルオーディオプレイヤを接続可能なオーディオ装置であって、
ユーザから指定された楽曲の属性の条件をフィルタ条件として用い、フィルタ条件にマッチする楽曲のオーディオデータを登録した前記再生リストを、当該オーディオ装置に接続された前記ポータブルオーディオプレイヤに作成させる再生リスト作成手段と、
前記ポータブルオーディオプレイヤが接続されているときに、前記再生リスト作成手段が当該ポータブルオーディオプレイヤの前記再生リストの作成に最後に用いた前記フィルタ条件を保持するフィルタ条件保持手段と、
前記ポータブルオーディオプレイヤが接続されたときに、当該ポータブルオーディオプレイヤから当該ポータブルオーディオプレイヤが保持している前記再生リストの情報の取得を試み、前記再生リストの情報を取得できた場合に、当該ポータブルオーディオプレイヤに当該ポータブルオーディオプレイヤが保持している前記再生リストの再生を開始させ、前記再生リストの情報を取得できなかった場合に、当該オーディオ装置に接続された前記ポータブルオーディオプレイヤに、保持しているフィルタ条件にマッチする楽曲のオーディオデータを登録した前記再生リストを作成させる続き再生制御手段とを有することを特徴とするオーディオ装置。
【請求項２】
請求項１記載のオーディオ装置であって、
前記ポータブルオーディオプレイヤが接続されているときに、最後に再生されたオーディオデータの識別を保持する最終オーディオデータ保持手段を有し、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、前記作成させた再生リストの再生を、前記識別を保持しているオーディオデータから開始させることを特徴とするオーディオ装置。
【請求項３】
請求項１記載のオーディオ装置であって、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、前記フィルタ条件を保持していない場合には、当該オーディオ装置に接続された前記ポータブルオーディオプレイヤに、全てのオーディオデータを登録した前記再生リストを作成させることを特徴とするオーディオ装置。
【請求項４】
請求項１記載のオーディオ装置であって、
前記フィルタ条件保持手段は、前記フィルタ条件を、当該時点において接続されているポータブルオーディオプレイヤの識別情報に対応づけて保持し、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、当該時点において接続されているポータブルオーディオプレイヤの識別情報に対応づけて保持されているフィルタ条件にマッチする楽曲のオーディオデータを登録した前記再生リストを作成させることを特徴とするオーディオ装置。
【請求項５】
請求項４記載のオーディオ装置であって、
前記ポータブルオーディオプレイヤが接続されているときに、最後に再生されたオーディオデータの識別を、当該時点において接続されているポータブルオーディオプレイヤの識別情報に対応づけて保持する最終オーディオデータ保持手段を有し、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、前記作成させた再生リストの再生を、当該時点において接続されているポータブルオーディオプレイヤの識別情報に対応づけて保持しているオーディオデータから開始させることを特徴とするオーディオ装置。
【請求項６】
請求項４記載のオーディオ装置であって、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、当該時点において接続されているポータブルオーディオプレイヤの識別情報に対応づけられた前記フィルタ条件を保持していない場合には、当該オーディオ装置に接続された前記ポータブルオーディオプレイヤに、全てのオーディオデータを登録した前記再生リストを作成させることを特徴とするオーディオ装置。
【請求項７】
請求項１、２、３、４、５または６記載のオーディオ装置であって、
前記楽曲の属性は、楽曲の音楽上のジャンル、楽曲のアーティスト、楽曲が含まれるアルバム、楽曲が含まれるプレイリストの少なくとも一つを含むことを特徴とするオーディオ装置。
【請求項８】
ビデオデータと、現在再生対象となっているビデオデータを登録した再生リストとを記憶し、前記再生リストに登録されたビデオデータを再生するポータブルビデオプレイヤを接続可能なビデオ装置であって、
ユーザから指定されたビデオの属性の条件をフィルタ条件として用い、フィルタ条件にマッチする楽曲のビデオデータを登録した前記再生リストを、当該ビデオ装置に接続された前記ポータブルビデオプレイヤに作成させる再生リスト作成手段と、
前記ポータブルビデオプレイヤが接続されているときに、前記再生リスト作成手段が当該ポータブルビデオプレイヤの前記再生リストの作成に最後に用いた前記フィルタ条件を保持するフィルタ条件保持手段と、
前記ポータブルビデオプレイヤが接続されたときに、当該ポータブルビデオプレイヤから当該ポータブルビデオプレイヤが保持している前記再生リストの情報の取得を試み、前記再生リストの情報を取得できた場合に、当該ポータブルビデオプレイヤに当該ポータブルビデオプレイヤが保持している前記再生リストの再生を開始させ、前記再生リストの情報を取得できなかった場合に、当該ビデオ装置に接続された前記ポータブルビデオプレイヤに、保持しているフィルタ条件にマッチする楽曲のビデオデータを登録した前記再生リストを作成させる続き再生制御手段とを有することを特徴とするビデオ装置。
【請求項９】
楽曲のオーディオデータと、現在再生対象となっているオーディオデータを登録した再生リストとを記憶し、前記再生リストに登録されたオーディオデータを再生するポータブルオーディオプレイヤを接続可能なコンピュータによって読み取られ実行されるコンピュータプログラムであって、
前記コンピュータを、
ユーザから指定された楽曲の属性の条件をフィルタ条件として用い、フィルタ条件にマッチする楽曲のオーディオデータを登録した前記再生リストを、当該オーディオ装置に接続された前記ポータブルオーディオプレイヤに作成させる再生リスト作成手段と、
前記ポータブルオーディオプレイヤが接続されているときに、前記再生リスト作成手段が当該ポータブルオーディオプレイヤの前記再生リストの作成に最後に用いた前記フィルタ条件を保持するフィルタ条件保持手段と、
前記ポータブルオーディオプレイヤが接続されたときに、当該ポータブルオーディオプレイヤから当該ポータブルオーディオプレイヤが保持している前記再生リストの情報の取得を試み、前記再生リストの情報を取得できた場合に、当該ポータブルオーディオプレイヤに当該ポータブルオーディオプレイヤが保持している前記再生リストの再生を開始させ、前記再生リストの情報を取得できなかった場合に、当該オーディオ装置に接続された前記ポータブルオーディオプレイヤに、保持しているフィルタ条件にマッチする楽曲のオーディオデータを登録した前記再生リストを作成させる続き再生制御手段として機能させることを特徴とするコンピュータプログラム。
【請求項１０】
請求項９記載のコンピュータプログラムであって、
当該コンピュータプログラムは、前記コンピュータを、さらに前記ポータブルオーディオプレイヤが接続されているときに、最後に再生されたオーディオデータの識別を保持する最終オーディオデータ保持手段として機能させ、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、前記作成させた再生リストの再生を、前記識別を保持しているオーディオデータから開始させることを特徴とするコンピュータプログラム。
【請求項１１】
請求項９記載のコンピュータプログラムであって、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、前記フィルタ条件を保持していない場合には、当該オーディオ装置に接続された前記ポータブルオーディオプレイヤに、全てのオーディオデータを登録した前記再生リストを作成させることを特徴とするコンピュータプログラム。
【請求項１２】
請求項９記載のコンピュータプログラムであって、
前記フィルタ条件保持手段は、前記フィルタ条件を、当該時点において接続されているポータブルオーディオプレイヤの識別情報に対応づけて保持し、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、当該時点において接続されているポータブルオーディオプレイヤの識別情報に対応づけて保持されているフィルタ条件にマッチする楽曲のオーディオデータを登録した前記再生リストを作成させることを特徴とするコンピュータプログラム。
【請求項１３】
請求項１２記載のコンピュータプログラムであって、
当該コンピュータプログラムは、前記コンピュータを、さらに、前記ポータブルオーディオプレイヤが接続されているときに、最後に再生されたオーディオデータの識別を、当該時点において接続されているポータブルオーディオプレイヤの識別情報に対応づけて保持する最終オーディオデータ保持手段として機能させ、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、前記作成させた再生リストの再生を、当該時点において接続されているポータブルオーディオプレイヤの識別情報に対応づけて保持しているオーディオデータから開始させることを特徴とするコンピュータプログラム。
【請求項１４】
請求項１２記載のコンピュータプログラムであって、
前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、当該時点において接続されているポータブルオーディオプレイヤの識別情報に対応づけられた前記フィルタ条件を保持していない場合には、当該オーディオ装置に接続された前記ポータブルオーディオプレイヤに、全てのオーディオデータを登録した前記再生リストを作成させることを特徴とするコンピュータプログラム。
【請求項１５】
請求項９、１０、１１、１２、１３または１４記載のコンピュータプログラムであって、
前記楽曲の属性は、楽曲の音楽上のジャンル、楽曲のアーティスト、楽曲が含まれるアルバム、楽曲が含まれるプレイリストの少なくとも一つを含むことを特徴とするコンピュータプログラム。
【請求項１６】
ビデオデータと、現在再生対象となっているビデオデータを登録した再生リストとを記憶し、前記再生リストに登録されたビデオデータを再生するポータブルビデオプレイヤを接続可能な接続可能なコンピュータによって読み取られ実行されるコンピュータプログラムであって、
前記コンピュータを、
ユーザから指定されたビデオの属性の条件をフィルタ条件として用い、フィルタ条件にマッチする楽曲のビデオデータを登録した前記再生リストを、当該ビデオ装置に接続された前記ポータブルビデオプレイヤに作成させる再生リスト作成手段と、
前記ポータブルビデオプレイヤが接続されているときに、前記再生リスト作成手段が当該ポータブルビデオプレイヤの前記再生リストの作成に最後に用いた前記フィルタ条件を保持するフィルタ条件保持手段と、
前記ポータブルビデオプレイヤが接続されたときに、当該ポータブルビデオプレイヤから当該ポータブルビデオプレイヤが保持している前記再生リストの情報の取得を試み、前記再生リストの情報を取得できた場合に、当該ポータブルビデオプレイヤに当該ポータブルビデオプレイヤが保持している前記再生リストの再生を開始させ、前記再生リストの情報を取得できなかった場合に、当該ビデオ装置に接続された前記ポータブルビデオプレイヤに、保持しているフィルタ条件にマッチする楽曲のビデオデータを登録した前記再生リストを作成させる続き再生制御手段として機能させることを特徴とするコンピュータプログラム。
【発明の詳細な説明】
【技術分野】
【０００１】
本発明は、内蔵したＨＤＤや半導体メモリに楽曲のオーディオデータを記録し、記録したオーディオデータを再生出力するポータブルオーディオプレイヤ（「ポータブルミュージックプレイヤ」とも呼称される）を接続可能なオーディオ装置において、ポータブルオーディオプレイヤの続き再生を制御する技術に関するものである。
【背景技術】
【０００２】
オーディオファイルにオーディオデータが格納された楽曲を再生するポータブルオーディオプレイヤとしては、再生対象となっている楽曲を登録した再生リストを作成し、再生リストに登録された楽曲を順次再生する再生リストの再生を行うと共に、再生リストの再生が停止された後に再生開始が指示されたときには、停止した時点に再生していた楽曲から再生リストの再生を再開する続き再生を行う機能を備えているポータブルオーディオプレイヤが知られている。
【０００３】
また、ポータブルオーディオプレイヤとしては、接続されたオーディオ装置から指定された楽曲の属性の条件に従って、当該条件を満たす楽曲を登録した再生リストを作成して再生する機能や、オーディオ装置に接続された状態において、オーディオ装置からの要求に応えて、保持している再生リストの情報をオーディオ装置に提供すると共に、オーディオ装置からの制御に応答して上述した続き再生を行う機能を備えたポータブルオーディオプレイヤも知られている。
【０００４】
また、オーディオ装置において接続されたポータブルオーディオプレイヤの再生状態を前回の接続時の状態にレジュームする技術として、前記条件を指定してポータブルオーディオプレイヤに再生リストを作成、再生させると共に、ポータブルオーディオプレイヤの接続の解除時に再生している再生リストの作成に用いた条件と再生中の楽曲の情報を保持し、ポータブルオーディオプレイヤの再接続時に、情報を保持している条件を指定してポータブルオーディオプレイヤに再生リストを再作成させると共に、情報を保持している楽曲から作成させた再生リストの再生を開始させる技術が知られている（特許文献１）。
【先行技術文献】
【特許文献】
【０００５】
【特許文献１】特開２００７-２２０２１２号公報
【発明の概要】
【発明が解決しようとする課題】
【０００６】
ポータブルオーディオプレイヤによっては、一旦、電源をオフすると、その後に電源をオンしときに、保持している再生リストの情報を、接続されたオーディオ装置に提供しない状態に遷移してしまうことがある。
そして、この場合には、オーディオ装置において再生リストの情報を用いた再生制御や再生リストや再生している楽曲の情報のユーザへの提示を行えなくなることとなるため、ポータブルオーディオプレイヤがオーディオ装置に接続された状態で、ポータブルオーディオプレイヤ単体では行うことのできる続き再生を行うことができなくなることとなる。
一方で、オーディオ装置において、常に、上述の再生リストの再作成によって接続されたポータブルオーディオプレイヤの再生状態を前回の接続時の状態にレジュームするものとすれば、ポータブルオーディオプレイヤが単体で使用された後にオーディオ装置に接続された場合には、ポータブルオーディオプレイヤが単体で使用されていた期間中に最後に再生された再生リストの最後に再生された楽曲からの続き再生が行えなくなる。したがって、ポータブルオーディオプレイヤがオーディオ装置に接続された状態では、ポータブルオーディオプレイヤ単体で行われる続き再生と同じ続き再生を行うことはできなくなる。
一方で、ユーザは、ポータブルオーディオプレイヤがオーディオ装置に接続された状態においても、ポータブルオーディオプレイヤ単体で利用する場合と同様に、続き再生が行えることを期待する。
【０００７】
そこで、本発明は、ポータブルオーディオプレイヤが接続されるオーディオ装置において、接続されたポータブルオーディオプレイヤの続き再生を、できるだけポータブルオーディオプレイヤ単体で行われる続き再生と同様の形態で行うことを課題とする。
【課題を解決するための手段】
【０００８】
前記課題達成のために、本発明は、楽曲のオーディオデータと、オーディオデータを登録した再生リストとを記憶し、前記再生リストに登録されたオーディオデータを再生するポータブルオーディオプレイヤを接続可能なオーディオ装置に、ユーザから指定された楽曲の属性の条件をフィルタ条件として用い、フィルタ条件にマッチする楽曲のオーディオデータを登録した前記再生リストを、当該オーディオ装置に接続された前記ポータブルオーディオプレイヤに作成させる再生リスト作成手段と、前記ポータブルオーディオプレイヤが接続されているときに、前記再生リスト作成手段が当該ポータブルオーディオプレイヤの前記再生リストの作成に最後に用いた前記フィルタ条件を保持するフィルタ条件保持手段と、前記ポータブルオーディオプレイヤが接続されたときに、当該ポータブルオーディオプレイヤから当該ポータブルオーディオプレイヤが保持している前記再生リストの情報の取得を試み、前記再生リストの情報を取得できた場合に、当該ポータブルオーディオプレイヤに当該ポータブルオーディオプレイヤが保持している前記再生リストの再生を開始させ、前記再生リストの情報を取得できなかった場合に、当該オーディオ装置に接続された前記ポータブルオーディオプレイヤに、保持しているフィルタ条件にマッチする楽曲のオーディオデータを登録した前記再生リストを作成させる続き再生制御手段とを備えたものである。
【０００９】
ここで、このようなオーディオ装置には、前記ポータブルオーディオプレイヤが接続されているときに、最後に再生されたオーディオデータの識別を保持する最終オーディオデータ保持手段を設け、前記続き再生制御手段において、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、前記作成させた再生リストの再生を、前記識別を保持しているオーディオデータから開始させるように構成してもよい。また、このようなオーディオ装置は、前記続き再生制御手段は、前記ポータブルオーディオプレイヤが接続されたときに、当該ポータブルオーディオプレイヤから当該ポータブルオーディオプレイヤが保持している前記再生リストの情報を取得できなかった場合に、前記フィルタ条件を保持していない場合には、当該オーディオ装置に接続された前記ポータブルオーディオプレイヤに、全てのオーディオデータを登録した前記再生リストを作成させるように構成してもよい。
【００１０】
また、このようなオーディオ装置は、前記フィルタ条件保持手段において、前記フィルタ条件を、当該時点において接続されているポータブルオーディオプレイヤの識別情報に対応づけて保持し、前記続き再生制御手段において、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、当該時点において接続されているポータブルオーディオプレイヤの識別情報に対応づけて保持されているフィルタ条件にマッチする楽曲のオーディオデータを登録した前記再生リストを作成させるように構成することが好ましい。
【００１１】
また、この場合には、前記ポータブルオーディオプレイヤが接続されているときに、最後に再生されたオーディオデータの識別を、当該時点において接続されているポータブルオーディオプレイヤの識別情報に対応づけて保持する最終オーディオデータ保持手段を設け、前記続き再生制御手段において、前記ポータブルオーディオプレイヤが接続されたときに、当該ポータブルオーディオプレイヤから当該ポータブルオーディオプレイヤが保持している前記再生リストの情報を取得できなかった場合に、当該オーディオ装置に接続された前記ポータブルオーディオプレイヤに、前記作成させた再生リストの再生を、当該時点において接続されているポータブルオーディオプレイヤの識別情報に対応づけて保持しているオーディオデータから開始させるように構成してもよい。また、この場合には、前記続き再生制御手段において、前記ポータブルオーディオプレイヤが接続されたときに、当該ポータブルオーディオプレイヤから当該ポータブルオーディオプレイヤが保持している前記再生リストの情報を取得できなかった場合に、当該時点において接続されているポータブルオーディオプレイヤの識別情報に対応づけられた前記フィルタ条件を保持していない場合には、当該オーディオ装置に接続された前記ポータブルオーディオプレイヤに、全てのオーディオデータを登録した前記再生リストを作成させるように構成してもよい。
【００１２】
なお、以上のオーディオ装置において、前記楽曲の属性は、楽曲の音楽上のジャンル、楽曲のアーティスト、楽曲が含まれるアルバム、楽曲が含まれるプレイリスト等であってよい。
このようなオーディオ装置によれば、オーディオ装置にポータブルオーディオプレイヤが接続されたときに、オーディオ装置がポータブルオーディオプレイヤから再生リストの情報を取得できる場合には、ポータブルオーディオプレイヤが保持する再生リストの再生を再開させることができる。よって、この場合には、ポータブルオーディオプレイヤがオーディオ装置に接続された状態でも、ポータブルオーディオプレイヤ単体で行われる続き再生と同じ続き再生を行うことができる。
一方、オーディオ装置がポータブルオーディオプレイヤから再生リストの情報を取得できない場合には、保持したフィルタ条件を用いて、当該ポータブルオーディオプレイヤがオーディオ装置に前回接続されていたときに最後に再生していた再生リストと同じオーディオファイルが登録された、または、登録されたオーディオファイルの楽曲の属性が等しい再生リストをポータブルオーディオプレイヤに作成させた上で、当該再生リストの再生を開始することができる。よって、ポータブルオーディオプレイヤから再生リストの情報を提供しない場合にも、擬似的な続き再生を行うことができる。
【００１３】
したがって、本発明によれば、オーディオ装置において、接続されたポータブルオーディオプレイヤの続き再生を、できるだけポータブルオーディオプレイヤ単体で行われる続き再生と同様の形態で行うことができる。
なお、以上のオーディオ装置の発明は、ビデオポータブルプレイヤを接続可能なビデオ装置に同様に適用可能である。すなわち、この場合には、以上のオーディオ装置のオーディオをビデオに置き換えるようにすればよい。
【発明の効果】
【００１４】
以上のように、本発明によれば、ポータブルオーディオプレイヤが接続されるオーディオ装置において、接続されたポータブルオーディオプレイヤの続き再生を、できるだけポータブルオーディオプレイヤ単体で行われる続き再生と同様の形態で行うことができる。
【図面の簡単な説明】
【００１５】
【図１】本発明の実施形態に係るオーディオ装置とポータブルオーディオプレイヤの構成を示すブロック図である。
【図２】本発明の実施形態に係る楽曲管理データとプレイリスト管理データとカレント再生リストを示す図である。
【図３】本発明の実施形態に係るポータブルオーディオプレイヤの再生制御部が管理する階層構造を示す図である。
【図４】本発明の実施形態に係るメニューの遷移例を示す図である。
【図５】本発明の実施形態に係る継続再生情報登録処理を示すフローチャートである。
【図６】本発明の実施形態に係る続き再生制御処理を示すフローチャートである。
【発明を実施するための形態】
【００１６】
以下、本発明の実施形態について説明する。
図１に、本実施形態に係るオーディオ装置とポータブルオーディオプレイヤの構成を示す。
オーディオ装置１は、たとえば、自動車に搭載されるものであり、図示するように、ラジオチューナーやＣＤ／ＤＶＤプレイヤなどのオーディオデータを出力する機器であるオーディオ出力機器１１、外部インタフェース１２、不揮発性のメモリ１３、オーディオ処理装置１４、スピーカ１５、制御部１６、入力装置１７、表示装置１８とを備えている。ここで、メモリ１３には継続再生情報が格納される。また、外部インタフェース１２は、Bluethooth（登録商標）などの無線通信またはUSBなどの有線通信のインタフェースであり、この外部インタフェース１２にはポータブルオーディオプレイヤ２を接続することができる
次に、ポータブルオーディオプレイヤ２は、携帯型の装置であり、記憶装置２１、ホストインタフェース２２、オーディオ処理部２３、スピーカ２４、再生制御部２５、操作部２６、表示部２７とを備えている。
【００１７】
ここで、記憶装置２１には、楽曲を表すオーディオデータを格納したオーディオファイル、コンテンツデータベース、カレント再生リスト、カレントタイトルポインタなどが記憶される。また、ホストインタフェース２２は、Bluethooth（登録商標）などの無線通信またはUSBなどの有線通信のインタフェースであり、このホストインタフェース２２にはオーディオ装置１を接続することができる
但し、以上のオーディオ装置１やポータブルオーディオプレイヤ２は、ハードウエア的には、マイクロプロセッサや、メモリや、その他の周辺デバイスを有する一般的な構成を備えたコンピュータを利用して構成されるものであって良く、この場合、以上のオーディオ装置１の制御部１６やオーディオ処理装置１４や、ポータブルオーディオプレイヤ２の再生制御部２５やオーディオ処理部２３は、マイクロプロセッサが予め用意されたプログラムを実行することにより具現化するプロセスとして実現されるものであって良い。
【００１８】
次に、ポータブルオーディオプレイヤ２の記憶装置２１に記憶されるコンテンツデータベースについて説明する。
コンテンツデータベースは、楽曲管理データとプレイリスト管理データを含む。
楽曲管理データは、記憶装置２１に記録された全てのオーディオファイルを管理するデータであり、図２ａに示すように、各オーディオファイル毎のエントリを有し、各エントリにはオーディオファイルに与えた識別子である楽曲ＩＤ、オーディオファイルの記憶装置２１上のロケーションを示すオーディオファイルパス、オーディオファイルに格納されたオーディオデータのビットレート、オーディオファイルに格納されたオーディオデータが表す楽曲のジャンルやアーティストやアルバムやタイトルや再生時間などの楽曲情報が記録されている。
【００１９】
次に、プレイリスト管理データには、図２ｂに示すように、記憶装置２１に記録されている全オーディオファイルが登録されたディフォルトのプレイリストの識別子（プレイリストAll)と、ユーザが任意のオーディオファイルを選択して登録したプレイリストの識別子とが登録され、各プレイリストの識別子に対して、当該識別子のプレイリストに登録された各オーディオファイルの楽曲のタイトル等の楽曲情報と各オーディオファイルの楽曲ＩＤがオーディオファイルの登録順に登録される。
【００２０】
次に、ポータブルオーディオプレイヤ２の記憶装置２１に記録されるカレント再生リストとカレントタイトルポインタについて説明する。
カレント再生リストは、現在再生対象となっているオーディオファイルのリストであり、図２ｃ１に示すように、各オーディオファイルの楽曲のタイトル等の楽曲情報と各オーディオファイルの楽曲ＩＤが登録順に登録される。
次に、カレントタイトルポインタは、カレント再生リストに登録されたオーディオファイルのうちの、現在、再生対象となっているオーディオファイルの識別を、当該オーディオファイルのカレント再生リスト中の順番で示すものである。
さて、このような楽曲管理データとプレイリスト管理データとよりなるコンテンツデータベースに基づいて、ポータブルオーディオプレイヤ２の再生制御部２５は、各オーディオファイルの、ジャンル別階層構造、アーティスト別階層構造、アルバム別階層構造、タイトル別階層構造、プレイリスト別階層構造を管理する。
【００２１】
図３ａに示すように、ジャンル別階層構造においては、最上位層にPOP、ROCK、JAZZといった楽曲の各ジャンルがアルファベット/五十音順に位置づけられる。そして、各ジャンルの下位に、当該ジャンルの楽曲であって、当該楽曲のオーディオファイルが記憶装置２１に記録されている楽曲のアーティストがアルファベット/五十音順に位置づけられる。また、各アーティストに対して、その下位に、当該ジャンルの当該アーティストの楽曲であって、楽曲のオーディオファイルが記憶装置２１に記録されている楽曲が含まれる各アルバムがアルファベット/五十音順に位置づけられる。また、各ジャンルに対して、その下位に、任意アーティストも位置付けられており、任意アーティストの下位には、当該ジャンルの任意のアーティストの楽曲であって、楽曲のオーディオファイルが記憶装置２１に記録されている楽曲が含まれる各アルバムがアルファベット/五十音順に位置づけられる。
【００２２】
また、各アルバムに対して、その下位に、当該ジャンルの当該アーティスト（任意アーティストの場合は任意のアーティスト）の当該アルバムの楽曲であって、楽曲のオーディオファイルが記憶装置２１に記録されている楽曲のタイトルと当該楽曲のオーディオファイルの楽曲ＩＤが、楽曲のアルバム内順序に従った順序で位置づけられる。また、各アーティスト（任意アーティストを含む）に対して、その下位に、任意アルバムも位置づけられており、任意アルバムの下位には、当該ジャンルの当該アーティスト（任意アーティストの場合は任意のアーティスト）の楽曲であって、楽曲のオーディオファイルが記憶装置２１に記録されている楽曲のタイトルと当該楽曲のオーディオファイルの楽曲ＩＤがアルファベット/五十音順に位置付けられる。
【００２３】
次に、図３ｂに示すように、アーティスト別階層構造においては、最上位層に、楽曲のオーディオファイルが記憶装置２１に記録されている各アーティストがアルファベット/五十音順に位置づけられる。また、各アーティストに対して、その下位に、当該アーティストの楽曲であって、楽曲のオーディオファイルが記憶装置２１に記録されている楽曲が含まれる各アルバムがアルファベット/五十音順に位置づけられる。
【００２４】
また、各アルバムに対して、その下位に、当該アーティストの当該アルバムの楽曲であって、楽曲のオーディオファイルが記憶装置２１に記録されている楽曲のタイトルと当該楽曲のオーディオファイルの楽曲ＩＤが、楽曲のアルバム内順序に従った順序で位置づけられる。また、各アーティストに対して、その下位に、任意アルバムも位置づけられており、任意アルバムの下位には、当該アーティストの楽曲であって、楽曲のオーディオファイルが記憶装置２１に記録されている楽曲のタイトルと当該楽曲のオーディオファイルの楽曲ＩＤがアルファベット/五十音順に位置付けられる。
【００２５】
次に、図３ｃに示すように、アルバム別階層構造においては、最上位層に、楽曲のオーディオファイルが記憶装置２１に記録されている楽曲が含まれる各アルバムがアルファベット/五十音順に位置づけられる。
また、各アルバムに対して、その下位に、当該アルバムの楽曲であって、楽曲のオーディオファイルが記憶装置２１に記録されている楽曲のタイトルと当該楽曲のオーディオファイルの楽曲ＩＤが、楽曲のアルバム内順序に従った順序で位置づけられる。
また、図３ｄに示すように、タイトル別階層構造においては、楽曲のオーディオファイルが記憶装置２１に記録されている各楽曲のタイトルと当該楽曲のオーディオファイルの楽曲ＩＤがアルファベット/五十音順に位置づけられる。
そして、図３ｅに示すように、プレイリスト別階層構造においては、最上位層に、プレイリスト管理データに登録されている、ディフォルトのプレイリストAllを除く、各プレイリストがアルファベット/五十音順に位置づけられ、各プレイリストに対して、その下位に、当該プレイリストに登録されているオーディオファイルの楽曲のタイトルと当該楽曲のオーディオファイルの楽曲ＩＤが、プレイリスト管理データにおける当該プレイリストへの楽曲ＩＤの登録順に従った順序で位置づけられる。
【００２６】
さて、図１に戻り、オーディオ装置１の、オーディオ処理部２３は、オーディオソースから入力するオーディオデータが表す音声を、必要に応じてデコードしてスピーカ１５に出力する機能を有する。一方、オーディオ装置１の、制御部１６は、ユーザの操作部２６の操作に応じて、オーディオ出力機器１１とポータブルオーディオプレイヤ２とのいずれかをオーディオソースとして設定する処理を行う。また、制御部１６は、オーディオ出力機器１１がオーディオソースとして設定されているときに、操作部２６のユーザ操作に応じてオーディオ出力機器１１の動作を制御しつつ、オーディオ処理部２３に、オーディオ出力機器１１が出力するオーディオデータが表す音声をスピーカ１５に出力させる処理などを行う。
【００２７】
一方、ポータブルオーディオプレイヤ２の再生制御部２５は、カレント再生リストを作成して記憶装置２１に記憶する。また、ポータブルオーディオプレイヤ２の再生制御部２５は、カレント再生リストを再生し、再生した音声を、ポータブルオーディオプレイヤ２がオーディオ装置１に接続されていない場合には、オーディオ処理部２３を介してスピーカ２４に、ポータブルオーディオプレイヤ２がオーディオ装置１に接続されている場合にはオーディオ装置１に出力する動作を行う。
【００２８】
ここで、カレント再生リストの再生においては、カレント再生リストに登録されている各楽曲ＩＤについて、楽曲管理データの当該楽曲ＩＤが登録されているエントリに登録されているオーディオファイルパスが示すオーディオファイルを再生する。
また、カレント再生リストの作成は、次のように行う。
すなわち、ポータブルオーディオプレイヤ２がオーディオ装置１に接続されていない場合には、ポータブルオーディオプレイヤ２の再生制御部２５が、表示部２７に適当なメニューを表示して、ユーザから、プレイリストの指定、または、楽曲のジャンルやアーティストやアルバムやタイトルのうちの少なくとも一つの条件の指定を受け付ける。そして、プレイリストの指定を受け付けた場合には、プレイリスト管理データにおいて、指定されたプレイリストの識別子に対して登録されている楽曲情報と楽曲ＩＤとを登録したカレント再生リストを作成する。一方、楽曲のジャンルやアーティストやアルバムの条件の指定を受け付けた場合には、条件を満たす楽曲のオーディオファイルの楽曲ＩＤを、図３に示した各階層構造に従って探索し、探索した楽曲ＩＤと、楽曲管理データの探索した楽曲ＩＤが登録されているエントリに登録されている楽曲情報とを登録したカレント再生リストを作成する。また、全オーディオファイルの再生が指示された場合には、プレイリスト管理データの、「プレイリストAll」の楽曲情報と楽曲ＩＤをそのまま登録することにより、カレント再生リストを作成する
また、ポータブルオーディオプレイヤ２が接続されている場合には、カレント再生リストの作成は、次のように行う。
【００２９】
まず、オーディオ装置１の制御部１６は、入力装置１７を用いたユーザサーチメニュー呼出操作に応答して、「アルバム」、「ジャンル」、「アーティスト」、「プレイリスト」、「ソングス」...のメニュー項目を有するルートメニューを表示し、ユーザからメニュー項目の選択を受け付ける。
【００３０】
そして、ルートメニューで「アルバム」が選択されたならば、オーディオ装置１の制御部１６は、ポータブルオーディオプレイヤ２の再生制御部２５と協調動作して、上述したアルバム別階層構造に従って、アルバム、タイトルの指定を、順次、階層的に受け付けるためのメニューを、オーディオ装置１の表示装置１８に表示し、ユーザからアルバム及びタイトルの指定を受け付ける。
【００３１】
また、同様に、ルートメニューで「ジャンル」が選択されたならば、オーディオ装置１の制御部１６は、ポータブルオーディオプレイヤ２の再生制御部２５と協調動作して、上述したジャンル別階層構造に従って、ジャンル、アーティスト、アルバム、タイトルの指定を、順次、階層的に受け付けるためのメニューを、オーディオ装置１の表示装置１８に表示し、ユーザからジャンル及びアーティスト及びアルバム及びタイトルの指定を受け付ける。
【００３２】
また、同様に、ルートメニューで「アーティスト」が選択されたならば、オーディオ装置１の制御部１６は、ポータブルオーディオプレイヤ２の再生制御部２５と協調動作して、上述したアーティスト別階層構造に従って、アーティスト、アルバム、タイトルの指定を、順次、階層的に受け付けるためのメニューを、オーディオ装置１の表示装置１８に表示し、ユーザからアーティスト及びアルバム及びタイトルの指定を受け付ける。
【００３３】
ここで図４ａは、このようにルートメニューで「アーティスト」が選択された場合のメニューの遷移例を示しており、図示するように、ルートメニューで「アーティスト」が選択されると、メニューはアーティスト構造の最上位に位置づけられているアーティストの一覧をアーティスト別階層構造中における並び順と同じアーティストの並び順で表すアーティストメニューに遷移する。そしてアーティストメニュー上で「アーティストＢ」が指定されると、メニューは、アーティスト別階層構造上で「アーティストＢ」の下位に位置づけられているアルバムの一覧をアーティスト別階層構造中における並び順と同じアルバムの並び順で表すアルバムメニューに遷移する。そして、アルバムメニュー上で「アルバムＢ」が指定されると、メニューは、アーティスト別階層構造上で「アルバムＢ」の下位に位置づけられているタイトルの一覧をアーティスト別階層構造中におけるタイトルの並び順と同じタイトルの並び順表すタイトルメニューに遷移し、タイトルメニュー上でタイトルの指定を受け付ける。
【００３４】
また、同様に、ルートメニューで「プレイリスト」が選択されたならば、オーディオ装置１の制御部１６は、ポータブルオーディオプレイヤ２の再生制御部２５と協調動作して、上述したプレイリスト別階層構造に従って、プレイリスト、タイトルの指定を、順次、階層的に受け付けるためのメニューを、オーディオ装置１の表示装置１８に表示し、ユーザからプレイリスト及びタイトルの指定を受け付ける。
【００３５】
ここで図４ｂは、このようにルートメニューで「プレイリスト」が選択された場合のメニューの遷移例を示しており、図示するように、ルートメニューで「プレイリスト」が選択されると、メニューはプレイリスト別階層構造の最上位に位置づけられているプレイリストの一覧をプレイリスト別階層構造中における並び順と同じプレイリストの並び順で表すアプレイリストメニューに遷移する。そしてプレイリストメニュー上で「プレイリストＢ」の指定を受け付けると、メニューは、プレイリスト別階層構造上で「プレイリストＢ」の下位に位置づけられているタイトルの一覧を、プレイリスト別階層構造中における並び順と同じタイトルの並び順で表すタイトルメニューに遷移し、タイトルメニュー上でタイトルの指定を受け付ける。
【００３６】
また、同様に、ルートメニューで「ソングス」が選択されたならば、オーディオ装置１の制御部１６は、ポータブルオーディオプレイヤ２の再生制御部２５と協調動作して、上述したタイトル別階層構造に従って、タイトルの指定を受け付けるためのメニューを、オーディオ装置１の表示装置１８に表示し、ユーザからタイトルの指定を受け付ける。
【００３７】
そして、オーディオ装置１の制御部１６は、以上のようなメニューを用いて、ユーザからタイトルの指定まで受け付けたならば、それまでにユーザから指定された、ジャンル、アーティスト、アルバム、プレイリストの組み合わせをフィルタ条件とし、ユーザから指定されたタイトルを再生開始タイトルとして、フィルタ条件を指定したカレント再生リストの作成と、再生リストの再生開始タイトルからの再生開始を、ポータブルオーディオプレイヤ２の再生制御部２５に要求する。また、オーディオ装置１の制御部１６は、再生開始タイトルの指定を受け付けたタイトルメニューのタイトルの一覧をカレント再生リストの情報を表すカレント再生リスト情報として用いて、再生対象となっている各オーディオファイルの楽曲情報や再生順序のユーザへの提示や、再生するオーディオファイルの切替操作の受け付けなどを行う。ここで、カレント再生リスト情報とは、カレント再生リストから楽曲ＩＤを除いた情報に該当するものとなる。
【００３８】
一方、再生リストの作成の要求を受けたポータブルオーディオプレイヤ２の再生制御部２５は、指定されたフィルタ条件にマッチする楽曲のオーディオファイルの楽曲ＩＤを、図３に示した各階層構造を用いて探索し、探索した楽曲ＩＤと、楽曲管理データの探索した楽曲ＩＤが登録されているエントリに登録されている楽曲情報とを登録したカレント再生リストを作成する。また、再生リストの再生開始タイトルからの再生開始の要求を受けたポータブルオーディオプレイヤ２の再生制御部２５は、カレント再生リストの再生開始タイトルの楽曲のオーディオファイルからの再生を開始する。なお、ルートメニューで「ソングス」が選択された場合のフィルタ条件は、「全オーディオファイル」すなわちフィルタ無しとなる。
【００３９】
すなわち、オーディオ装置１の制御部１６は、たとえば、図４ａのルートメニューで「アーティスト」が選択され、アーティストメニュー上で「アーティストＢ」が指定され、タイトルメニュー上で「タイトルＢ」が指定されると、「アーティストＢ、アルバムＢ」をフィルタ条件とし、「タイトルＢ」を再生開始タイトルとし、当該フィルタ条件によるカレント再生リストの作成と、作成したカレント再生リストの再生開始タイトルのオーディオファイルからの再生開始を、ポータブルオーディオプレイヤ２の再生制御部２５に要求する。
【００４０】
また、オーディオ装置１の制御部１６は、たとえば、図４ｂのルートメニューで「プレイリスト」が選択され、アーティストメニュー上で「プレイリストＢ」が指定され、タイトルメニュー上で「タイトルＢ」が指定されると、「プレイリストＢ」をフィルタ条件とし、「タイトルＢ」を再生開始タイトルとし、当該フィルタ条件によるカレント再生リストの作成と、作成したカレント再生リストの再生開始タイトルのオーディオファイルからの再生開始を、ポータブルオーディオプレイヤ２の再生制御部２５に要求する。
【００４１】
一方、ポータブルオーディオプレイヤ２の再生制御部２５は、たとえば、フィルタ条件として、「アーティストＡ、アルバムＡ」が指定されたならば、図３ｂのアーティスト別階層構造中のアーティストＡの下位のアルバムＡの下位に位置する部分３０１に含まれる各楽曲ＩＤと、当該各楽曲ＩＤが登録されている楽曲管理データのエントリに登録されている楽曲情報とを登録したカレント再生リストを図２ｃ１に示すように作成し、作成したカレント再生リストの再生を、指定された再生開始タイトルの楽曲のオーディオファイルから開始する。
【００４２】
また、同様にポータブルオーディオプレイヤ２の再生制御部２５は、たとえば、フィルタ条件として、「アーティストＡ、任意アルバム」が指定されたならば、図３ｂのアーティスト別階層構造中のアーティストＡの下位の任意アルバムの下位に位置する部分３０２に含まれる各楽曲ＩＤと、当該各楽曲ＩＤが登録されている楽曲管理データのエントリに登録されている楽曲情報とを登録したカレント再生リストを図２ｃ２に示すように作成し、作成したカレント再生リストの再生を、指定された再生開始タイトルの楽曲のオーディオファイルから開始する。
【００４３】
また、フィルタ条件として、「プレイリストＡ」が指定されたならば、図３ｅのプレイリスト別階層構造中の「プレイリストＡ」の下位に位置する各楽曲ＩＤと、当該各楽曲ＩＤが登録されているエントリに登録されている楽曲情報とを登録したカレント再生リストを作成し、作成したカレント再生リストの再生を、指定された再生開始タイトルの楽曲のオーディオファイルから開始する。ここで、この場合の、カレント再生リストは、プレイリスト管理データの、「プレイリストＡ」の楽曲情報と楽曲ＩＤをそのまま登録することにより作成することができる。
【００４４】
次に、フィルタ条件として「全オーディオファイル」が指定された場合には、プレイリスト管理データの、「プレイリストAll」楽曲情報と楽曲ＩＤをそのまま登録することにより、カレント再生リストを作成する
ところで、以上の各メニュー上のジャンルやアーティストやアルバムやプレイリストやタイトルの一覧は、オーディオ装置１の制御部１６が、当該一覧を表すリストをポータブルオーディオプレイヤ２の再生制御部２５から取得して生成する。そして、ポータブルオーディオプレイヤ２の再生制御部２５は、このリストを、当該リスト中のジャンルやアーティストやアルバムやプレイリストやタイトルの並び順が、図３の各階層構造中における当該リストに対応する部分の並び順と一致するように作成する。したがって、オーディオ装置１の制御部１６とポータブルオーディオプレイヤ２の再生制御部２５の間では、リスト中の順番によって、ジャンルやアーティストやアルバムやプレイリストやタイトルを識別することができる。そこで、オーディオ装置１の制御部１６とポータブルオーディオプレイヤ２の再生制御部２５の間では、リスト中の順番によって、ジャンルやアーティストやアルバムやプレイリストやタイトルの識別を通知しあうようにしてもよい。
【００４５】
たとえば、上記したフィルタ条件中のジャンルやアーティストやアルバムやプレイリストの識別として、ジャンルやアーティストやアルバムプレイリストのリスト中の順番を用いるようにしてもよい。
すなわち、この場合において、「アーティストＮ、アルバムＭ」をフィルタ条件とするときには、「アーティストＮ」の当該「アーティストＮ」を指定したアーティストメニューのアーティストの一覧を表す、ポータブルオーディオプレイヤ２の再生制御部２５から取得したリスト中での「アーティストＮ」の順番がｎ番目であり、「アルバムＭ」の当該「アルバムＭ」を指定したアルバムメニューのアルバムの一覧を表す、ポータブルオーディオプレイヤ２の再生制御部２５から取得したリスト中での「アルバムＭ」の順番がｍ番目であれば、（アーティスト順番=ｎ、アルバム順番=ｍ）をフィルタ条件として用いるようにする。
【００４６】
また、同様に、再生開始タイトルの識別としても、再生開始タイトルとしたタイトルのリスト中の順番を用いるようにしてもよい。
すなわち、この場合において、「アーティストＮ、アルバムＭ」をフィルタ条件とし、「再生開始タイトルが「タイトルＫ」とする場合には、「タイトルＫ」の当該「タイトルＫ」を指定したタイトルメニューのタイトルの一覧を表す、ポータブルオーディオプレイヤ２の再生制御部２５から取得したリスト中での「タイトルＫ」の順番がｋ番目であれば、（タイトル順番=ｋ）を再生開始タイトルの識別として用いるようにしてよい。
【００４７】
さて、このような構成において、オーディオ装置１の制御部１６は、ポータブルオーディオプレイヤ２の続き再生のために、継続再生情報登録処理と、続き再生制御処理とを行う。
まず、継続再生情報登録処理について説明する。
図５に示すように、継続再生情報登録処理では、オーディオ装置１に接続されているポータブルオーディオプレイヤ２のカレント再生リストの、オーディオ装置１の制御部１６による作成の発生を監視する（ステップ５０２）。
そして、カレント再生リストの作成が発生したならば、接続されているポータブルオーディオプレイヤ２の識別情報と、作成したカレント再生リストの作成に用いたフィルタ条件と、再生中タイトルを登録した継続再生情報を作成し、メモリ１３に格納する（ステップ５０４）。ここで、ステップ５０４では、再生中タイトルとして、カレント再生リストの再生開始の指示に用いたタイトルの識別を継続再生情報に登録する。なお、再生中タイトルとして登録するタイトルの識別としては、当該タイトルのカレント再生リスト情報中の順番、すなわち、当該タイトルのカレント再生リスト中の順番を登録するようにしてよい。
【００４８】
そして、以降は、カレント再生リストの作成（ステップ５０６）と、ポータブルオーディオプレイヤ２とオーディオ装置１との接続の解除（ステップ５１０）の発生を監視する。
そして、カレント再生リストの作成が発生した場合には（ステップ５０６）、ステップ５０４と同様に、作成したカレント再生リストの作成に用いたフィルタ条件と、再生中タイトルを登録した継続再生情報を作成し、メモリ１３に格納する（ステップ５０８）。ここで、ステップ５０８では、再生中タイトルとして、カレント再生リストの再生開始の指示に用いたタイトルの識別を継続再生情報に登録する。また、ステップ５０８において作成した継続再生情報を格納する際に、既に、接続されているポータブルオーディオプレイヤ２の識別情報が登録された継続再生情報がメモリ１３に格納されている場合には、当該、既に格納されている継続再生情報を破棄した上で、作成した継続再生情報をメモリ１３に格納する。
そして、ステップ５０６、５１０の監視に戻る
【００４９】
一方、ポータブルオーディオプレイヤ２とオーディオ装置１との接続の解除が発生した場合には（ステップ５１０）、ポータブルオーディオプレイヤ２の識別情報が登録されている継続再生情報の再生中タイトルを、接続の解除前に最後に再生対象となったタイトルの識別に更新する（ステップ５１２）。
そして、ステップ５０２に監視に戻る。
以上、継続再生情報登録処理について説明した。
なお、以上の継続再生情報登録処理は、ステップ５１２を省き、代わりに、ポータブルオーディオプレイヤ２の識別情報が登録されている継続再生情報の再生中タイトルの更新を、再生対象のタイトルが切り替わった時点で、当該再生対象となったタイトルの識別を表すように行う処理を加えるようにしてもよい。
【００５０】
次に、続き再生制御処理について説明する。
続き再生制御処理では、図６に示すように、ポータブルオーディオプレイヤ２のオーディオ装置１の接続の発生を監視し（ステップ６０２）、ポータブルオーディオプレイヤ２の接続が発生したならば、ポータブルオーディオプレイヤ２からのカレント再生リスト情報の取得を試みる（ステップ６０４）。
【００５１】
ここで、カレント再生リスト情報の取得は、ポータブルオーディオプレイヤ２の再生制御部２５に、カレント再生リスト情報の送信を要求し、当該要求の応答として、ポータブルオーディオプレイヤ２の再生制御部２５から送信されたカレント再生リスト情報を受信することにより行う。ポータブルオーディオプレイヤ２の再生制御部２５は、オーディオ装置１の制御部１６から、カレント再生リスト情報の送信の要求を受けると、ポータブルオーディオプレイヤ２の記憶装置２１にカレント再生リストが存在し、かつ、ポータブルオーディオプレイヤ２がカレント再生リスト情報を送信できる状態にあるときには、当該要求の応答としてカレント再生リストから楽曲ＩＤを除いた情報を、カレント再生リスト情報として、オーディオ装置１の制御部１６に送信する。一方、ポータブルオーディオプレイヤ２の再生制御部２５は、ポータブルオーディオプレイヤ２の記憶装置２１にカレント再生リストが存在しない場合や、ポータブルオーディオプレイヤ２の記憶装置２１にカレント再生リストは存在するが、ポータブルオーディオプレイヤ２がカレント再生リスト情報を送信できる状態に無い場合には、エラーを、カレント再生リスト情報の送信の要求の応答として、オーディオ装置１の制御部１６に送信する。なお、ポータブルオーディオプレイヤ２が、ポータブルオーディオプレイヤ２の記憶装置２１にカレント再生リストが存在するにも関わらず、カレント再生リスト情報を送信できる状態に無い場合の例としては、電源オフ前に作成されたカレント再生リストの再生カレントリスト情報を、電源オン後に送信できないポータブルオーディオプレイヤ２における、当該電源オフ前に作成されたカレント再生リストを保持している状態がある。
【００５２】
さて、次に、以上のようなポータブルオーディオプレイヤ２からのカレント再生リスト情報の取得が成功したかどうかを調べ（ステップ６０６）、カレント再生リスト情報の取得が成功していれば、ポータブルオーディオプレイヤ２のオーディオ装置からの接続の解除（ステップ６０８）と、ポータブルオーディオプレイヤ２の上述したオーディオソースへの設定と（ステップ６１０）の発生を監視し、ポータブルオーディオプレイヤ２のオーディオ装置からの接続が解除された場合には、ステップ６０２に戻る。一方、ポータブルオーディオプレイヤ２のオーディオソースへの設定が発生した場合には（ステップ６１０）、カレント再生リストのカレントタイトルポインタが示すタイトルからの再生再開をポータブルオーディオプレイヤ２に指示し（ステップ６１２）、接続されているポータブルオーディオプレイヤ２の識別情報が登録された継続再生情報をメモリ１３から消去して（ステップ６１４）、ステップ６０２からの処理に戻る。
【００５３】
この結果、ポータブルオーディオプレイヤ２において、ポータブルオーディオプレイヤ２が保持するカレント再生リストの前回再生を停止したタイトルからの再生が開始されることとなる。
一方、ポータブルオーディオプレイヤ２からのカレント再生リスト情報の取得に成功しなかった場合には（ステップ６０６）、接続されているポータブルオーディオプレイヤ２の識別情報が登録された継続再生情報がメモリ１３に格納されているかどうかを調べ（ステップ６１６）、格納されていない場合にはステップ６３０に進む。
【００５４】
一方、接続されているポータブルオーディオプレイヤ２の識別情報が登録された継続再生情報がメモリ１３に格納されている場合には（ステップ６１６）、格納されている継続再生情報に登録されているフィルタ条件によるカレント再生リストの作成を行い（ステップ６１８）、カレント再生リストの作成が成功したならば（ステップ６２０）、ポータブルオーディオプレイヤ２から作成したカレント再生リストのカレント再生リスト情報を取得する（ステップ６２２）。ここで、ステップ６１８では、まず、フィルタ条件を満たすオーディオファイルの数をポータブルオーディオプレイヤ２に問い合わせて取得し、取得したオーディオファイルの数が０でない場合にフィルタ条件によるカレント再生リストの作成をポータブルオーディオプレイヤ２の再生制御部２５に要求し、取得したオーディオファイルの数が０である場合にはカレント再生リストの作成を失敗とする。
そして、ポータブルオーディオプレイヤ２のオーディオ装置からの接続の解除（ステップ６２４）と、ポータブルオーディオプレイヤ２の上述したオーディオソースへの設定と（ステップ６２６）の発生を監視し、ポータブルオーディオプレイヤ２のオーディオ装置からの接続が解除された場合には、ステップ６０２に戻る。一方、ポータブルオーディオプレイヤ２のオーディオソースへの設定が発生した場合には（ステップ６２６）、接続されているポータブルオーディオプレイヤ２の識別情報が登録された継続再生情報に再生中タイトルとして登録されているタイトルを再生開始タイトルとして、再生開始タイトルのオーディオファイルからの再生開始を、ポータブルオーディオプレイヤ２の再生制御部２５に要求する（ステップ６２８）。
【００５５】
この結果、ポータブルオーディオプレイヤ２において、当該ポータブルオーディオプレイヤ２がオーディオ装置１に前回接続されていたときに最後に再生していたカレント再生リストと、登録されている同じオーディオファイルが同じ、または、登録されているオーディオファイルの楽曲のジャンル、アーティスト、楽曲の属するアルバム、楽曲の属するプレイリストなどの属性が等しいカレント再生リストが作成され、作成したカレント再生リストの再生が、ポータブルオーディオプレイヤ２が前回接続されていたときに最後に再生していたタイトルから開始されることとなる。
【００５６】
そして、ステップ６０２からの処理に戻る。
一方、カレント再生リストの作成に失敗した場合には（ステップ６２０）、ステップ６３０に進む。
さて、以上のようにステップ６１６またはステップ６２０からステップ６３０に進んだ場合には、「全オーディオファイル」をフィルタ条件として、当該フィルタ条件によるカレント再生リストの作成をポータブルオーディオプレイヤ２の再生制御部２５に要求し（ステップ６３０）、ポータブルオーディオプレイヤ２から作成した作成したカレント再生リストのカレント再生リスト情報を取得する（ステップ６３２）。そして、ポータブルオーディオプレイヤ２のオーディオ装置からの接続の解除（ステップ６３４）と、ポータブルオーディオプレイヤ２の上述したオーディオソースへの設定と（ステップ６３６）の発生を監視し、ポータブルオーディオプレイヤ２のオーディオ装置からの接続が解除された場合には、ステップ６０２に戻る。一方、ポータブルオーディオプレイヤ２のオーディオソースへの設定が発生した場合には（ステップ６３６）、カレント再生リストの先頭タイトルを再生開始タイトルとして、再生開始タイトルのオーディオファイルからの再生開始を、ポータブルオーディオプレイヤ２の再生制御部２５に要求する（ステップ６３８）。
【００５７】
この結果、ポータブルオーディオプレイヤ２において、ポータブルオーディオプレイヤ２に記憶された全オーディオファイルが登録されたカレント再生リストが作成され、作成されたカレント再生リストの先頭のタイトルからの再生が開始されることとなる。
そして、接続されているポータブルオーディオプレイヤ２の識別情報が登録された継続再生情報をメモリ１３から消去して（ステップ６４０）、ステップ６０２からの処理に戻る。
以上、続き再生制御処理について説明した。
なお、以上の続き再生制御処理でポータブルオーディオプレイヤ２から取得したカレント再生リスト情報は、オーディオ装置１の制御部１６において、再生対象となっている各オーディオファイルの楽曲情報や再生順序のユーザへの提示や、再生するオーディオファイルの切替操作の受け付けなどに用いられる。
【００５８】
以上のような継続再生情報登録処理と続き再生制御処理によれば、オーディオ装置１にポータブルオーディオプレイヤ２が接続されたときに、オーディオ装置１がポータブルオーディオプレイヤ２からカレント再生リストのカレント再生リスト情報を取得できる場合には、ポータブルオーディオプレイヤ２が保持するカレント再生リストの前回再生を停止したタイトルからの再生を再開することができる。よって、この場合には、ポータブルオーディオプレイヤがオーディオ装置に接続された状態でも、ポータブルオーディオプレイヤ単体で行われる続き再生と同じ続き再生を行うことができる。
一方、オーディオ装置１がポータブルオーディオプレイヤ２からカレント再生リストのカレント再生リスト情報を取得できない場合には、継続再生情報に登録されたフィルタ条件を用いて、当該ポータブルオーディオプレイヤ２がオーディオ装置１に前回接続されていたときに最後に再生していたカレント再生リストと、登録されている同じオーディオファイルが同じ、または、登録されているオーディオファイルの楽曲のジャンル、アーティスト、楽曲の属するアルバム、楽曲の属するプレイリストなどの属性が等しいカレント再生リストをポータブルオーディオプレイヤ２に作成させた上で、継続再生情報に登録された再生中タイトルを用いて、当該カレント再生リストの再生を、前回接続されていたときに最後に再生していたタイトルから開始することができる。よって、ポータブルオーディオプレイヤがカレント再生リスト情報を提供しない場合にも、擬似的な続き再生を行うことができる。
【００５９】
したがって、本実施形態によれば、オーディオ装置１において、接続されたポータブルオーディオプレイヤ２の続き再生を、できるだけポータブルオーディオプレイヤ単体で行われる続き再生と同様の形態で行うことができる。
ところで、以上の実施形態では、オーディオ装置１においてポータブルオーディオプレイヤ２の続き再生を制御する場合について説明したが、本実施形態は、以上の説明におけるオーディオをビデオに置き換えることにより、ビデオ装置においてポータブルビデオプレイヤの続き再生を制御する場合についても同様に適用することができる
【符号の説明】
【００６０】
１…オーディオ装置、２…ポータブルオーディオプレイヤ、１１…オーディオ出力機器、１２…外部インタフェース、１３…メモリ、１４…オーディオ処理装置、１５…スピーカ、１６…制御部、１７…入力装置、１８…表示装置、２１…記憶装置、２２…ホストインタフェース、２３…オーディオ処理部、２４…スピーカ、２５…再生制御部、２６…操作部、２７…表示部。
【図１】
0005652952.tif 000002
【図２】
0005652952.tif 000003
【図３】
0005652952.tif 000004
【図４】
0005652952.tif 000005
【図５】
0005652952.tif 000006
【図６】
0005652952.tif 000007